(57)【特許請求の範囲】
【請求項１】
蛇口に連結される連結側室と吐水のための吐水側室との間に区画壁により区画するとともに、前記連結側室から分岐する分岐路と、吐水口側に合流する合流路とを設け、前記区画壁には連結側室と分岐路とを連通する第１連通部と、連結側室と合流路との間を連通する第２連通部とを設け、第１，第２連通部間を移動して連結側室を分岐路または合流路に切替接続する切替弁と、その切替弁を切替動作させるための操作部とを設けた切替コックにおいて、
前記切替弁をゴム状弾性体により構成し、
前記吐水側室の内側面には、その上端中央に突起が形成されるとともに該突起から放射状に複数の整流板が配置された整流筒が着脱可能に保持されている切替コック。
【請求項２】
前記切替弁を、手動操作により移動される収容体に収容した請求項１に記載の切替コック。
【請求項３】
収容体の下部には、切替弁の切替時にその切替弁をすくい上げるためのすくい上げ部を設けた請求項２に記載の切替コック。
【発明の詳細な説明】
【０００１】
【発明の属する技術分野】
本発明は、例えば、水道の蛇口に取りつけられる切替コックに関するものである。
【０００２】
【従来の技術】
一つの蛇口で、多岐の用途を求める場合、例えば、キッチンにおける浄水器の使用には、切替コックが用いられる。
【０００３】
そのような切替コックとして、鋼球を弁として用いられているものがある。このタイプのものは、比較的構造が簡単で、安価に製造できる。
【０００４】
【発明が解決しようとする課題】
しかし、前記の切替コックは、弁としての鋼球の外に、ゴム等のバルブシ−トが必要であり、部品点数が多くなったり、重くなったり、大型化したりする等の問題点があった。
【０００５】
本発明は上記問題点を解決するためになされたものであって、その目的は、構造が簡単で、部品点数が少ない切替コックを提供することにある。
【０００７】
【課題を解決するための手段】
請求項１に記載の切替コックでは、蛇口に連結される連結側室と吐水のための吐水側室との間に区画壁により区画するとともに、前記連結側室から分岐する分岐路と、吐水口側に合流する合流路とを設け、前記区画壁には連結側室と分岐路とを連通する第１連通部と、連結側室と合流路との間を連通する第２連通部とを設け、第１，第２連通部間を移動して連結側室を分岐路または合流路に切替接続する切替弁と、その切替弁を切替動作させるための操作部とを設けた切替コックにおいて、前記切替弁をゴム状弾性体により構成し、前記吐水側室の内側面には、その上端中央に突起が形成されるとともに該突起から放射状に複数の整流板が配置された整流筒が着脱可能に保持されているものである。
【０００８】
請求項２に記載の切替コックでは、請求項１に記載の切替コックにおいて、前記切替弁を、手動操作により移動される収容体に収容したものである。
請求項４に記載の切替コックでは、請求項２に記載の切替コックにおいて、収容体の下部には、切替弁の切替時にその切替弁をすくい上げるためのすくい上げ部を設けたものである。
【０００９】
さて、請求項１に記載の切替コックにおいては、切替弁としてゴム状弾性体を用いることにより、本体内部にバルブシートを配設することが不要になる。また、吐水側室に整流筒を設けることにより、整流された吐水を得ることができる。また、前記整流筒の上端中央に突起を形成しているため、偏ることなく、確実に一定に水を吐出させることができる。
【００１０】
請求項２に記載の切替コックにおいては、収容体内に切替弁を配置するだけで弁として機能し、切替の際には、収容体に促されて弁が移動して弁として機能する。
【００１１】
請求項３に記載の切替コックにおいては、収容体が切替ツマミにより動作される際に、切替弁は、収容体の内部に形成された傾斜面により、すくい上げられるため、切替弁は摩耗することなく移動される。
【００１２】
【発明の実施の形態】
以下、本発明を具体化した一実施形態を、図面に従って説明する。
図１〜図８に示すように、合成樹脂で形成された本体ケース１１の内部空間は、区画壁１２により区分けされ、その区画壁１２は第１及び第２連通部１３，１４を有している。連結側室１６は、区画壁１２の上部に区画形成されている。吐水側室１７は、区画壁１２の下部に区画形成されている。分岐路１８は、区画壁１２の下部に配置されている。合流路１９は、区画壁１２の下部に分岐路１８と隔てて配置され、吐水側室１７と連通している。第１連通部１３は、連結側室１６と分岐路１８とを連通している。第２連通部１４は、連結側室１６と吐水側室１７とを連通している。これらの連通部１３及び１４は、区画壁１２に形成されている。また、分岐路１８及び合流路１９には、それぞれ、図示しないホースが接続される。このホースには、図示しない浄水器等が接続される。
【００１３】
前記連結側室１６の内側面には、段部２１が形成されている。そして、この段部２１上にそれぞれリング状の支持板２２及びシール板２３が配置されている。キャップ２４は本体ケース１１の上部に螺合されている。
【００１４】
また、本体ケース１１の外面には、取付孔１１ａが形成されている。切替ツマミ３１は、前記取付孔１１ａに挿入されている。図９及び図１０に示すように、収容体３３は、連結側室１６内に設置され、切替ツマミ３１と係合されている。切替ツマミ３１は、支持孔３２ａを備えた支持片３２を有している。収容体３３は、軸部３４と収容部３５とにより構成されており、軸部３４にゴム製のパッキン３８が設けられている。このパッキン３８は本体ケース１１との間の水密を確保する。そして、軸部３４との下端面には、突起３４ａが形成されており、この突起３４ａが前記取付孔１１ａと係合することにより、切替ツマミ３１と収容体３３とが連動する。また、収容部３５の内側面には、傾斜面３６が形成されている。
【００１５】
切替弁としてのボールバルブ３７はゴム、合成樹脂等の弾性体により形成され、収容部３５の内部に設置される。
図２に示すように、キャップ４２は吐水側室１７の一部を構成する吐水筒４１に螺合されている。金属ネット４３は、キャップ４２の内部にセットされている。整流筒４４は、吐水筒４１の内側面に着脱可能に保持されている。この整流筒４４には、複数の整流板が形成されており、中央部には突起４６が形成されている。
【００１６】
さて、このように構成された切替コックを蛇口に取りつける際には、図示しない取付アダプタを介して取り付ける。この場合、アダプタを蛇口に固着させ、そのアダプタを前記キャップ２４により固着させる。このときアダプタの固着部は、シール板２３と圧接されるため、接合部からの水漏れを防止する。
【００１７】
切替ツマミ３１及び収容体３３は、図７に実線及び仮想線で示すように連動する。切替ツマミ３１により収容部３５が移動されると、収容部３５内に配置されたボールバルブ３７は、前記傾斜面３６により、すくい上げられながら移動する。そして、前記第１連通部１３または第２連通部１４の一方を塞ぐことにより水路が切り替えられる。
【００１８】
すなわち、切替ツマミ３１が図７に示す実線位置にある場合、つまり、第１連通部１３がボールバルブ３７によって塞がれている場合、水は第２連通部１４を通り、吐水側室４１から直接吐出される。また、切替ツマミ３１が図７に示す仮想線位置にある場合、つまり、第２連通部１４がボールバルブ３７によって塞がれている場合、水は第１連通部１３を流れて分岐路１８から浄水器等へ向かって送られる。浄水器からの水は分岐路１８を経て吐水側室１７から吐出される。
【００１９】
以上の実施形態の切替コックから期待できる効果を、以下に記載する。
（ａ）この切替コックにおいては、ボールバルブ３７にゴム等の弾性体を使用することにより、ゴム等のバルブシートを介することなく弁としての効果を発揮させることができる。したがって、部品点数を減少させることができるとともに、切替コックの小型化及び軽量化が可能になり、安価に製造することができる。
【００２０】
（ｂ）この切替コックにおいては、収容部３５内にボールバルブ３７を配置するだけで、弁を機能させることができる。したがって、構造が簡単であるため、製造が容易である。
【００２１】
（ｃ）この切替コックにおいては、ボールバルブ３７は、収容部３５の傾斜面３６によりすくい上げられながら移動するため、ボールバルブ３７が第１及び第２連通孔１３，１４のエッジ部で削り取られるのを防止できる。また、第１及び第２連通孔１３，１４の部分とボールバルブ３７との摩擦が少なくなり、水路の切り替え操作を軽く容易に行うことができる。さらに、ボールバルブ３７は、傾斜面３６に案内されて、第１連通部１３及び第２連通部１４へのすわりが良くなるため、確実に第１連通部１３及び第２連通部１４の閉塞を行うことができる。
【００２２】
（ｄ）この切替コックにおいては、水路の切り替え操作を行う際に、収容部３５の傾斜面３６によりボールバルブ３７がすくい上げられる。そのため、ボールバルブ３７に対してバルブ閉鎖方向への水圧が作用しても、ボールバルブ３７を軽い力で開放動作させることができ、水路の切り替え操作を軽く容易に行うことができる。
【００２３】
（ｅ）この切替コックにおいては、図８に示すように、第２連通部１４と第３連通部１５とが整流筒４４の上面中央に突起４６が形成されているため、均一なビーム状の吐水を得ることができる。ちなみに、吐水側室１７に対して、第２連通孔１４の供給側が芯ずれしていると吐出水が一部に偏って、均一ビーム状の吐水を得られない。しかも、この実施形態においては、整流筒４４内に整流板４５が設けられているため、整流作用がさらに向上する。
【００２４】
なお、上記実施形態は以下のように変更して具体化することも可能である。
（１）蛇口取り付けアダプタを本体ケース１１と一体化することにより、アダプタ付きの切替コックに変更すること。
【００２５】
このようにすれば、取り付け作業がアダプタを蛇口に取り付けるだけで済ませることができ、便利である。
（２）前記実施形態で円弧状に形成された傾斜面３６を、直線状の傾斜面に変更すること。
【００２６】
このようにしても、前記実施形態と同様の効果を発揮させることができる。
以上、一実施形態について説明したが、各実施形態から把握できる請求項以外の技術的思想について、以下にそれらの効果と共に記載する。
【００２７】
（イ）吐水部に整流筒を設けた請求項１から請求項４のいずれかに記載の切替コック。
このように構成すれば、整流された吐水を得ることができる。
【００２８】
（ロ）前記整流筒の上端中央に突起を形成した前記（イ）項に記載の切替コック。
このようにすれば、偏ることなく、確実に一定に水を吐出させることができる。
【００２９】
【発明の効果】
この発明は、以上のように構成されているため、次のような効果を奏する。
請求項１に記載の発明では、切替弁としてゴム状弾性体を用いることにより、本体内部にバルブシートを配設することが不要になる。また、吐水側室に整流筒を設けることにより、整流された吐水を得ることができる。また、前記整流筒の上端中央に突起を形成しているため、偏ることなく、確実に一定に水を吐出させることができる。
【００３０】
請求項２に記載の発明では、収容体内に切替弁を配置するだけで弁として機能し、切替の際には、収容体に促されて弁が移動するため、確実に弁として機能させることができる。
【００３１】
請求項３に記載の発明では、収容体が切替ツマミにより動作される際に、水流切替弁は、収容体の内部に形成された傾斜面により、すくい上げられるため、切替弁を摩耗させることなく、かつ小さな力で移動させることができる。したがって、切替弁の寿命を長期化させることができるとともに、開閉の切り替えを容易に行うことができる。
【図面の簡単な説明】
【図１】  本実施形態の切替コックを示す斜視図。
【図２】  同じく分解斜視図。
【図３】  図１におけるＡ−Ａ線断面図。
【図４】  図１におけるＢ−Ｂ線断面図。
【図５】  図２におけるＣ−Ｃ線の概略断面図。
【図６】  図１におけるＤ−Ｄ線断面図。
【図７】  切替ツマミと収容体との動きを示す上面図。
【図８】  吐水口と連通部との位置関係を示す裏面図。
【図９】  本実施形態の切替ツマミと水流切替弁ホルダとの関係を示す概略斜視図。
【図１０】図９におけるＥ−Ｅ線断面図。
【符号の説明】
１１…本体ケース、１２…区画壁、１３…第１連通部、１４…第２連通部、１５…第３連通部、１６…連結側室、１７…吐水側室、１８…分岐路、１９…合流路、２２…支持板、２３…シール板、２４…キャップ、３１…切替ツマミ、３３…収容体、３５…収容部、３６…傾斜面、３７…ボールバルブ、３８…パッキン、４１…吐水筒、４２…キャップ、４４…整流筒、４６…突起
【図１】
0003802151.tif 000002
【図２】
0003802151.tif 000003
【図３】
0003802151.tif 000004
【図４】
0003802151.tif 000005
【図５】
0003802151.tif 000006
【図６】
0003802151.tif 000007
【図７】
0003802151.tif 000008
【図８】
0003802151.tif 000009
【図９】
0003802151.tif 000010
【図１０】
0003802151.tif 000011